(57)【特許請求の範囲】
【請求項１】
遊技に関する制御を行う制御基板が収容されるケース体と、該ケース体に被着されるカバー体とからなる基板収容ボックスを備えた遊技機において、前記ケース体とカバー体には、それぞれ互いに封止部材を介して封止状態で締着される封止部が複数組設けられると共に、それらケース側封止部とカバー側封止部の締着に用いられる複数の封止部材が備えられ、前記封止部材はフランジ状の頭部と円柱状の本体部を備えており、それら封止部材のうち複数の未使用の封止部材は前記ケース体とカバー体のいずれか一方の外側に一体的に設けられた支持部に固着される保持部材によってその保持部材の一部を破壊することにより個別に取り外せるように前記保持部材に前記本体部を挿入するための収容孔が形成されると共に、前記収容孔の内径は前記頭部の外形よりも小さく前記本体部の外形よりも大きく形成され、前記ケース体とカバー体のいずれか一方の壁面と前記保持部材との間に前記頭部が挟まれた状態で取付保持される一方、前記本体部は先端は挟まれることなく前記保持部材の収容孔から前記壁面とは反対側の外方に突出して露出されており、前記封止部材は前記保持部材に取付保持した位置からでは前記ケース体と前記カバー体を封止状態にできないように取付保持され、前記保持部材は前記収容孔が形成された収容部と、前記支持部に固着される固着部と、前記収容部と前記固着部とを連結すると共に切断可能な連結部を備え、前記支持部には前記壁面から突出した段部が形成され、前記段部の高さを前記頭部の厚みとほぼ同じかやや大きめに構成すると共に、前記段部上に前記保持部材の前記固着部が載置された状態で前記保持部材が前記支持部に離脱不能に固着されていることを特徴とする遊技機。
【発明の詳細な説明】
【０００１】
【発明の属する技術分野】
本発明は遊技機に関し、さらに詳しくは、パチンコ遊技機やスロットルマシン等の遊技機の遊技盤裏面等に遊技に関する制御を行う制御基板を収容した状態で取り付けられる基板収納ボックスを備えたものにおいて、その基板収納ボックスの不正開封を防止する不正行為防止対策が施されたその不正防止機構に関するものである。
【０００２】
【従来の技術】
近年、パチンコ遊技機やスロットルマシン等の遊技機は、遊技盤に設けられる各種入賞装置や図柄変動表示装置等を制御して、遊技の興趣を盛り上げるようにしたものが主流となっており、これらの入賞装置や図柄変動装置等の制御は、ＩＣやＬＳＩ等の多数の電子部品を配設したロジック制御の回路基板、あるいはマイクロコンピュータを備えた制御基板等により行われる。このような遊技機の遊技内容を制御する制御基板は、一般的に遊技盤の裏面側に取り付けられた基板収納ボックス内に収納される。
【０００３】
基板収納ボックスは樹脂製又は金属製で、ＩＣや抵抗等の各種電子部品が多数実装された制御基板等をボックス内に収容して、基板上のプリント回路の短絡を防ぐために、埃等のゴミが侵入しないように保護しており、主に遊技機裏面の機構板等に取り付けられる。例えば、役物制御装置においては、制御回路内にＣＰＵ、ＲＯＭ、ＲＡＭ等が設けられており、ＲＯＭに記憶された制御プログラムに従って遊技機の制御が行われ、大当たり等もここで制御されている。
【０００４】
このような制御基板を収容する基板収納ボックスは、一般的にカバー体とケース体とを重ね合わせたボックス構造を有している。内部に収容された制御基板のうち、他の各種電気装置と電気接続するためのコネクタ部分がボックス内から露出されるようになっており、各種配線をそのコネクタ部に差し込むことにより、それぞれ接続された電気装置に関わる制御が可能になっている。
【０００５】
このような構造の基板収納ボックスに対する不正行為は、上蓋となるカバー体をケース体から外して、開放された制御基板に備えられたＲＯＭ等の電子部品を交換、あるいはデータ内容の書き換えを行うことにより、通常の遊技制御と比較して、例えば大当たりを頻繁に発生させる等の不正な遊技制御を行わせるようなものである。
【０００６】
従来用いられてきた基板収納ボックスにおける制御基板をその内部に封止する構造は、カバー体とケース体とをビス止め組付けした後、それらの合わせ目に封印シールを貼ったり、基板収納ボックスをアクリルなどの透明な合成樹脂材料により形成して、内部に収容されている制御基板の状態が外部から視認できるようにして不正行為が確認できるようにしていたが、本物そっくりの偽封印シールや特殊な剥離剤などを使用する不正行為者に対しては効果がなかった。
【０００７】
このような行為を防止するために、基板収納ボックスを開封不可能あるいは開封が極めて困難な構造にして、ボックスそのものを破壊するしか開封する方法がないように封止することも考えられるが、公的機関によるＲＯＭ検査や修理等のメンテナンス性を考えると現実的でない。
【０００８】
そこで、近年では、一旦封止が開封されると、開封された痕跡が残るように、カバー体とケース体にそれぞれ一体的に連結して設けられた封止部同士を別部材である封止部材（特殊な形状のピンやネジなど）を用いて締着する構造のものが採用されている。一般的に、このカバー体及びケース体とそれぞれの封止部との連結部分のうち少なくとも一方がニッパ等の工具で容易に切断可能に形成されており、その連結部分を切断して、封止部同士が締着された部分とケース体又はカバー体とを分離させることで、開封が可能な構造になっている。このように開封が容易な上に開封すれば確実にその切断による痕跡を残すことになるので、不正行為を防止できて取り扱いも良いということから広く採用されている。
【０００９】
また、前述の公的機関によるＲＯＭ検査や修理等のメンテナンス性を考慮して複数回の封止・開封を行うことができるように、このような封止箇所が複数設けられている。つまり、封止部同士の締着に使用された封止部材は再度の封止に用いることができないので、カバー体の封止部、ケース体の封止部及び封止部材を一組とする封止箇所を、複数備えることでこれを実現している。例えば封止箇所が８つあれば、そのうち２つを封止のために使用するものとすれば、計４回の封止・開封を行うことができる。
【００１０】
この場合、封止に使用された封止部材以外の封止部材、つまり前述の例でいえば封止に使用した２つ以外の残り６つ封止部材の保管については、例えばパチンコホールの管理者が別途保管したりすることも考えられるが、取り扱いの煩雑さや紛失等を考慮すると、基板収容ボックスそのものに付属部品として添付させるのが好ましい。そこで、その添付の構造について各種のものが提案されている。
【００１１】
このようなカバー体及びケース体の封止部同士の締着に用いていない封止部材、つまり予備の封止部材（以下、未使用封止部材という）の添付の構造については、例えば、図１４〜図１８に示されるような基板収納ボックスがある。この基板収納ボックスに用いられる封止部材は、カバー側の封止部に仮止め用の収容室を設けて、その収容室に予め挿入して仮止めさせておくという添付の構造のものである。
【００１２】
図を用いてより詳細に説明する。図１４は基板収納ボックス２００の外観斜視図、図１５はその分解斜視図、図１６は上面図、図１７は基板収納ボックス２００の側面に設けられた封止部２０１のＡ−Ａ断面である横断面図、図１８はその縦断面図を示している。
【００１３】
図示されるように、この基板収納ボックス２００は、制御基板２０３が収容されるケース体２０１と、そのケース体２０１に被着されるカバー体２０２と、これらを用いて内部に制御基板２０３を封止するための封止部材として挿入ピン２１１とから構成される。
【００１４】
ケース体２０１はアクリル等の透明な合成樹脂材料により略箱形状に形成されており、その底面に載置された主制御基板２０３の４隅角部をネジ２０４止めにより収容固定している。この主制御基板２０３を収容するケース体２０１の左右両外側面（図面では片側のみ図示）には、ケース側封止部２０５として上面が開口された長手ボックス形状の固定具収容台２１２がケース体２０１と一体的に連結して設けられ、その内部には図１７及び図１８で示すような金属製板材により折り曲げ形成されたピン固定具２１３がタッピンネジ２０７によって固定具収容台２１２の内部にネジ止め固定されている。
【００１５】
このピン固定具２１３には、挿入ピン２１１の先端部２１１ａが挿入された際には、抜脱不能に係合する係合孔２１３ａが設けられている。その係合孔２１３ａの内周縁には、挿入ピン２１１の先端部２１１ａに周設された凹状の係合溝２１１ｂに係合する係合片２１３ｂがやや斜め下向きに突設して形成されている。
【００１６】
また、このケース体２０１に被着されるカバー体２０２の左右両外側面（図面では片側のみ図示）には、カバー側封止部２０６として複数個（この例では４個）のピン挿入台２１５が切断可能に形成された連結部２１８を介して一体的に整列して設けられると共に、それらピン挿入台２１５の両サイドには前述のピン固定具２１３をネジ止め固定したタッピンネジ２０７を上方から覆うネジ隠し片２１７，２１７が設けられている。
【００１７】
整列して設けられたピン挿入台２１５，２１５，・・には、図１８に示すように挿入ピン２１１が予め装着されている。この挿入ピン２１１はアルミ等の金属製棒材により切削形成又は合成樹脂材料により一体成形されたもので、フランジ状の頭部２１１ｅと円柱状の本体部２１１ｄを備えている。円柱状の本体部２１１ｄの途中位置には、その本体部２１１ｄ外径よりもやや太径にローレット状のリング部２１１ｃが形成されており、挿入ピン２１１を遊挿させた状態でピン挿入台２１５に挿入させておくことができる。これにより、例えばパチンコホールの管理者等が挿入ピンを別途保管しておく必要はなく、従って紛失あるいは盗難のおそれがないので取り扱いが便利である。
【００１８】
また、これらピン挿入台２１５，２１５，・・とカバー体２０２の側壁とを連結している連結部２１８，２１８，・・はニッパ等の工具によって簡便に切断可能な形状に形成されており、この連結部２１８，２１８，・・のうち封止された箇所の連結部２１８を切断することで、封止箇所のピン挿入台２１５はカバー体２０２から離れることになる。
【００１９】
このような構造の基板収納ボックス２００は、その内部への主制御基板２０３の封止・開封を複数回行うことができるようになっている。図１４に示されるようにカバー体２０２の上面左右には、対角になるように番号表示（この場合１〜４）がされており、例えば、初めて封止するときは左右の番号「１」が附された部分の挿入ピン２１１を叩き込んで封止する。主制御基板２０３のＲＯＭ等を検査するときは、左右の番号「１」が附された部分の連結部２１８を切断することで開封することができる。そして再度封止するには、左右の番号「２」が附された部分の挿入ピン２１１を叩き込むことで封止することができる。このように収納されている主制御基板２０３のＲＯＭ検査や修理などの正規の理由による開封・封止が複数回行うことができるので、メンテナンス性も良いというものである。
【００２０】
【発明が解決しようとする課題】
しかしながら、このように封止部材を予め装着することで添付させる構造の基板収納ボックス２００では、未使用封止部材である未使用の挿入ピン２１１をピン挿入台２１５に装着して仮止めするために、挿入ピン２１１においては、その本体部２１１ｄの途中位置に、その本体部２１１ｄ外径よりもやや太径にローレット状のリング部２１１ｃを形成しておくと共に、ピン装入台２１５においては、そのピン本体部挿入孔２１５ｂの内径を、挿入ピン２１１の本体部２１１ｄの外径よりも大きく、ローレット状のリング部２１１ｃの外径よりやや小さくして、挿入されるリング部２１１ｃを軽い押し込み力で通すことができる大きさに形成しておくという構造を採用したことによる加工上の問題があった。
【００２１】
このピン装入台２１５を備えたカバー体２０２は、コストの面から、そのピン装入台２１５と共に一体的に樹脂成形加工により製作されるのだが、通常、このような成形はその製作回数の増加に伴って、成形のための金型の劣化等により、成形加工の精度が落ちてくるのが一般的である。つまり、ピン装入台２１５のピン本体部挿入孔２１５ｂの内径を、挿入される挿入ピン２１５のリング部２１１ｃを軽い押し込み力で通すことができる大きさに形成する精度も落ちてくるので、リング部２１１ｃの加工精度にもよるが、場合によってはピン本体部挿入孔２１５ｂを挿入することがきなくなる。このピン本体部挿入孔２１５ｂの内径以外の部分については、それほど精度は要求されないが、このカバー体２０２のピン本体部挿入孔２１５ｂの内径の精度を維持するために頻繁に金型のメンテナンスを行うことが必要となるばかりか、最悪、高価な金型の再製作することにもなってしまいコストが掛かるものであった。また、ピン本体部挿入孔２１５ｂの内径のみを成形後に追加工することも考えられるが、これも製作の工程が増えてコストが掛かるので問題の解決にはならない。
【００２２】
さらに、挿入ピンについても、ケース体とカバー体の締着のために必要なフランジ部２１１ｅ、係合溝２１１ｂ以外に、仮止め用にローレット状のリング部２１１ｃも加工する必要あるので低コスト化が難しい。また、使用してない封止部材の悪用（不正な再封止）を未然に防止することもできない。
【００２３】
本発明の解決しようとする課題は、遊技機に備えられる基板収納ボックスを痕跡を残さないで開封することを困難に封止して遊技機に対する不正行為を未然に防止する構造において、その封止に用いられる封止部材の予備を簡易な構成で備えた基板収納ボックスを提供することである。
【００２４】
【課題を解決するための手段】
この課題を解決するために本発明に係る遊技機は請求項１に記載のように、遊技に関する制御を行う制御基板が収容されるケース体と、該ケース体に被着されるカバー体とからなる基板収容ボックスを備えた遊技機において、前記ケース体とカバー体には、それぞれ互いに封止部材を介して封止状態で締着される封止部が複数組設けられると共に、それらケース側封止部とカバー側封止部の締着に用いられる複数の封止部材が備えられ、前記封止部材はフランジ状の頭部と円柱状の本体部を備えており、それら封止部材のうち複数の未使用の封止部材は前記ケース体とカバー体のいずれか一方の外側に一体的に設けられた支持部に固着される保持部材によってその保持部材の一部を破壊することにより個別に取り外せるように前記保持部材に前記本体部を挿入するための収容孔が形成されると共に、前記収容孔の内径は前記頭部の外形よりも小さく前記本体部の外形よりも大きく形成され、前記ケース体とカバー体のいずれか一方の壁面と前記保持部材との間に前記頭部が挟まれた状態で取付保持される一方、前記本体部は先端は挟まれることなく前記保持部材の収容孔から前記壁面とは反対側の外方に突出して露出されており、前記封止部材は前記保持部材に取付保持した位置からでは前記ケース体と前記カバー体を封止状態にできないように取付保持され、前記保持部材は前記収容孔が形成された収容部と、前記支持部に固着される固着部と、前記収容部と前記固着部とを連結すると共に切断可能な連結部を備え、前記支持部には前記壁面から突出した段部が形成され、前記段部の高さを前記頭部の厚みとほぼ同じかやや大きめに構成すると共に、前記段部上に前記保持部材の前記固着部が載置された状態で前記保持部材が前記支持部に離脱不能に固着されていることを要旨とするものである。
【００２５】
上記構成を有する基板収納ボックスによれば、ケース側封止部とカバー側封止部の締着に用いられる複数の封止部材が、ケース体とカバー体の少なくとも一方に設けられた保持部材によってその保持部材の一部を破壊することにより個別に取り外せるように取付保持されているので、使用するときだけ保持部材を破壊して封止部材を取り出すことができるので紛失するおそれがない上に、破壊による痕跡が残るので封止部材の悪用（不正な再封止）を未然に防止することもできる。
【００２６】
さらには、封止部材の端部が、保持部材の収容部と基板収納ボックスの壁面との間に挟まれて取付保持されている構成にすれば、保持部材の収容部を封止部材を保持するための特別な構造にすることなく、簡易な構造で封止部材を取付保持することができる。
【００２７】
【発明の実施の形態】
以下、本発明の好適な一実施形態を図面を参照して詳細に説明する。 図１は、遊技機の一例としてのパチンコ遊技機の概略構成の正面図を示したものである。図示されるようにパチンコ遊技機１０は、遊技機本体の側部を構成する外枠１１と前面部のベースとなる内枠１２とを備える。この内枠１２の開口部周縁には額縁状の金枠１３が嵌められており、その内側には遊技盤１４の前面を覆うガラス扉１５が設けられる。
【００２８】
ガラス扉１５の下方位置には、遊技球を貯留するための上受け皿１６とその上受け皿１６から溢れた遊技球を貯留するための下受け皿１７が縦列して設けられる。この上受け皿１６には球抜きボタン１８が設けられ、これを操作すると上受け皿１６内の遊技球が下受け皿１７に向けて抜き落とされる。又、下受け皿１７の図中右側位置には、遊技球を発射するための発射レバー２０が設けられ、その回動操作量に応じて打球の強さが調整されると共に図示しない発射モータの電源が投入される。更に発射レバー２０には遊技球を単発発射させるための単発スイッチ２１も備えられており、遊技状況に応じて使い分けることが可能に構成されている。
【００２９】
また、このパチンコ遊技機１０の左側部にはプリペイドカードによる球の貸し出しを行うプリペイドカードユニット２２が並設されており、その操作は上受け皿１６の前面部に設けられた球貸し操作部２３によって行われる。球貸し操作部２３には、プリペイドカードによる遊技球の貸出しを操作する球貸しボタン２４、その貸出しの可否状態を示す球貸しランプ２５、カード挿入口２６からプリペイドカードを排出させるカード返却ボタン２７、プリペイドカードの残高表示及びエラー表示を行う度数表示部２８等が備えられる。
【００３０】
遊技盤１４面のほぼ中央には特別図柄表示装置５０が設けられており、その画面には数字やキャラクタ等の図柄が動画表示される。この特別図柄表示装置５０の真下位置には常時入賞可能な第一始動入賞口５２ａと、可変翼が開放された時にのみ入賞可能となる第二始動入賞口５２ｂを備える始動入賞口５２が設けられており、始動入賞口５２に遊技球が入賞すると特別図柄表示装置５０に表示される図柄が変動を開始する。
【００３１】
また、始動入賞口５２の真下位置には通常は閉鎖されている大入賞口５３が設けられており、その内部には大入賞口５３が開放された時にのみ入賞可能となる特定入賞口５４が設けられている。又、大入賞口５３の左右位置には普通入賞口である左落し入賞口６０、右落し入賞口６１が、それらの上方位置には左袖入賞口６２、右袖入賞口６３が各々設けられ、これらの入賞口へ遊技球が入賞すると所定個数の賞品球が払出される。
【００３２】
特別図柄表示装置５０の周囲には装飾枠体６４が設けられる。この装飾枠体６４の上部に形成された半円弧形状の装飾枠部には、普通図柄表示装置６５が設けられ、「０」から「９」までの数字が７セグメントでもってデジタル表示される。更に、本遊技盤１４面には遊技球の落下方向を無作為に変更させたり、その流下速度を変化させる風車やランプ風車、左ゲート６６、右ゲート６７が設けられ、このゲート６６、６７を遊技球が通過すると普通図柄表示装置６５が変動を開始し、所定図柄が表示確定されると前述の始動入賞口５２の第二始動入賞口５２ｂが一定時間開放される。
【００３３】
始動入賞口５２に遊技球が入賞すると、特別図柄表示装置５０に表示される判定用図柄が変動を開始し、所定時間（例えば５秒間）が経過すると停止して図柄が表示確定される。ここで確定された図柄の組み合わせが予め設定された所定の組み合わせと一致すると、それまで閉鎖されていた大入賞口５３が開放され、いわゆる「大当たり」と称される特別な遊技状況が開始されることになる。
【００３４】
このように、遊技盤１４面に設けられる各入賞口に遊技球が入賞（又は通過）すると諸処の遊技状況が発生する契機となると共に、所定個数の賞品球が上受け皿１６の左側上部に設けられる球出口２９から払い出される。但し、何れにも入賞しなかった遊技球は、遊技盤１４面の最下部に設けられる排出口６８から遊技盤１４の裏面へと排出されることになる。
【００３５】
図２は、前記パチンコ遊技機１０の裏面図である。パチンコ遊技機１０の裏面には、各種装置等を取り付けるための裏セット板７１が設けられ、その裏セット板７１の上方には、図示しない遊技場内に設置された球供給装置から供給される遊技球を一時貯留する球タンク７２が設けられる。この球タンク７２には球誘導樋７３が連接して設けられる。球誘導樋７３にはその球誘導樋７３上における遊技球の貯留状態を検知する補給スイッチ７４が設けられる。このスイッチ７４は、球誘導樋７３上での球切れ状態が発生した時に作動し、図示しない遊技場内の球供給装置から球タンク７２に遊技球が供給されていないことを遊技場へ報知するように構成されている。
【００３６】
この球誘導樋７３は図示しない屈曲樋に接続され、この屈曲樋はその下流域でおいて枝分かれして賞球払出装置７５と球貸払出装置７６に連接される。又、この図示しない屈曲樋にはその屈曲樋内における遊技球の流下状態を検知して賞球払出装置７５及び球貸払出装置７６の空動作を未然に防止する空切り防止スイッチ７７が設けられる。
【００３７】
また、遊技機１０の裏面には、遊技に関わる制御を行うための多様な制御基板が設けられており、これらにより遊技盤１４面に設けられる各装置等の動作が設定制御される。遊技機１０と外部の各種装置とを接続する外部出力端子７８ａを含む外部出力端子基板７８、空切り防止スイッチ７７の作動を設定制御する空切り防止スイッチ基板７９、更に、前述の賞球払出装置７５及び貸球払出装置７６の作動を設定制御するＣＲ賞球払出制御基板８０、本遊技機１０の側部に設けられるプリペイドカードユニット２２と遊技機１０間における情報の授受を行うカードインターフェイス接続部８１が設けられる。
【００３８】
更に、これらの制御基板等の動作を設定制御する主制御基板８２が裏面左下方部に設けられる。主制御基板８２は、基板収納ボックス９０に収納されており、この基板収納ボックス９０を開封しなければ主制御基板８２に触れることができないようになっている。基板収納ボックス９０は、下側のケース体９１とそのケース体９１に被着されるカバー体９２とからなり、そのケース体９１内に主制御基板８２を載置して固定し、その上面をカバー体９２で覆うことで外部から触れることができないように主制御基板８２を収容している。
【００３９】
そのほかに本遊技機１０には上記以外にも多様な制御基板が設けられており、これらにより遊技盤１４面に設けられる各装置等の動作が設定制御される。例えば、打球発射に関する設定制御を行う発射装置制御基板８３や、遊技盤１４面上に設けられるランプの点灯及び消灯に関わる設定制御を行うランプ制御基板８４、遊技状況に応じて発する音声や音楽等を制御する音声制御基板８５といった各種制御基板も同様に設けられる。図３のブロック図に示されるように、これら制御基板等は直接又は間接的に主制御基板８２と接続され、その動作は主制御基板８２に制御されるようになっている。これらについての概要は周知であるので、ここでは詳細説明を省略する。
【００４０】
次に、本発明の第１の実施形態に係るパチンコ遊技機に備えられた不正行為防止のための基板収納ボックスついて図４〜図１３を参照して説明する。図４は遊技機本体の裏面に設けられる前述の基板収納ボックス９０の外観斜視図、図５及び図６は基板収納ボックスの分解斜視図、図７は封止部材の保持構造を示す断面図、図８は両封止部の縦断面斜視図、図９はケース側の封止部の上面図、図１０及び図１１は両封止部の縦断面図、図１２及び図１３は両封止部の横断面図を示した図である。
【００４１】
図示されるように、この基板収納ボックス９０は、前述の主制御基板８２が収容されるケース体９１、そのケース体９１に被着されるカバー体９２、これら両部材を連結するための挿入ピン９５とから構成されている。
【００４２】
カバー体９２はアクリル等の透明な合成樹脂材料により略箱形状に形成されており、その左右両外側（図面では片側のみ図示）には、カバー側封止部９４が設けられている。このカバー側封止部９４には、複数個（この実施例では４個）のピン挿入台９６，９６，・・が切断可能に形成された連結部９６ａ，９６ａ，・・を介して設けられている。
【００４３】
このピン挿入台９６，９６，・・には、後述する挿入ピン９５が挿入されるピン挿入孔９６ｂが貫通して設けられており、挿入ピン９５のフランジ状の頭部９５ａが収容される収容部９６ｃと挿入ピン９５の本体部９５ｂが挿通される挿通部９６ｄが形成されている（図８参照）。
【００４４】
挿入ピン９５はアルミ等の金属製棒材により切削形成又は合成樹脂材料から成形されたもので、フランジ状の頭部９５ａと円柱状の本体部９５ｂを備えている。また、本体部９５ｂの先端部９５ｃには凹状の係合溝９５ｄが周設されている。
【００４５】
カバー体９２が被着されるケース体９１も同様にアクリル等の透明な合成樹脂材料により略箱形状に形成されており、その底面に載置された主制御基板８２の４隅角部をネジ９７止めにより収容固定する。
【００４６】
このケース体９１の側壁には、被着されるカバー体９２の段部９２ａに弾発的に係合する係合爪片９１ａ，９１ａが形成されており、これらによりカバー体９２はケース体９１に被着の際に容易に外れないように仮固定される。
【００４７】
ケース体９１の左右両外側（図面では片側のみ図示）には、ケース側封止部９３が設けられている。このケース側封止部９３には図示されるように、前述の挿入ピン９５の先端部９５ｃに係合するピン固定具９８と、そのピン固定具９８を収容固定する収容溝９９ａを備えた固定具収容台９９とで構成される。
【００４８】
ピン固定具９８は、弾性変形可能な金属製板ばね部材により長方形状に成形されたもので、挿入ピン９５の先端部９５ｃに係合する係合孔９８ａが複数（この実施例では４つ）開口して形成されている。この係合孔９８ａの内周縁には、挿入ピン９５の先端部９５ｃに周設された係合溝９５ｄに係合する係合爪９８ｂが形成されており、係合の際には先端部９５ｃを抜脱不能に保持する。
【００４９】
また、このピン固定具９８の両端部には、固定具収容台９９の前台９９ｂの両側端部に凹設された係合凹部９９ｃ，９９ｃに係合する係合片９８ｃ，９８ｃが形成されており、ピン固定具９８は収容溝９９ａに収容された際には、この係合凹部９９ｃに係合して収容固定される。
【００５０】
このピン固定具９８が収容される固定具収容台９９は、挿入ピン９５が挿入される挿入孔９９ｄを複数（この実施例では４つ）有する前台９９ｂと、同じく挿入ピン９５の先端部９５ｃが挿入される後台９９ｅとで構成されており、これら２つの台がピン固定具９８を挟み込むように設けられ、その間に収容溝９９ａが形成されている。
【００５１】
収容されるピン固定具９８を収容溝９９ａ内で固定するため、前台９９ｂの両側端部には係合凹部９９ｃ，９９ｃが凹設されており、ピン固定具９８は収容溝９９ａに収容された際には、係合片９８ｃ，９８ｃがこの係合凹部９９ｃ，９９ｃに係合して、ピン固定具９８を収容固定する。
【００５２】
また、この収容溝９９ａは図９に示されるように、ピン固定具９８を収容溝９９ａに収容する際に、そのピン固定具９８の収容が係合位置でない途中位置の状態、つまり係合片９８ｃ，９８ｃが係合凹部９９ｃ，９９ｃの位置まで到達していない状態では、ピン固定具９８を弾性変形させ、係合する位置まで到達すると復帰変形させて係合させるスペースとして変形誘導部９９ｆが前台９９ｂと後台９９ｅとによって形成されている。この場合図示されるように、ピン固定具９８を収容溝９９ａに挿入すると、ピン固定具９８の中央部分を膨らませるように弾性変形させ、、ピン固定具９８の係合片９８ｃ，９８ｃが前台９９ｂの係合凹部９９ｃ，９９ｃ位置まで挿入されると、ピン固定具９８を復帰変形させて係合片９８ｃ，９８ｃが係合凹部９９ｃ，９９ｃに係合して収容される。このような構造にすることにより強固に収容固定されるので外れにくい。
【００５３】
さらに、固定具収容台９９の前台９９ｂに形成された係合凹部９９ｃ，９９ｃの外側部分には、収容されるピン固定具９８を収容溝９９ａへ挿入案内するための案内部９９ｇ，９９ｇが凸設されており、収容をスムーズに行い易くなっている。
【００５４】
このような構造の基板収納ボックス９０は、その内部への主制御基板８２の封止・開封を複数回（この実施例では４回）行うことができるようになっている。図４及び図５に示されるようにカバー体９２の左右側面には、対角になるように番号表示（この場合１〜４）がされており（片側のみ図示）、最初に封止するときは左右の番号「１」が附されたピン挿入台９６に挿入ピン９５を２本叩き込んで封止する。
【００５５】
主制御基板８２のＲＯＭ等を検査するために開封するときは、左右の番号「１」が附された部分の連結部９６ａを切断して開封する。ＲＯＭの検査後、再び封止するには、左右の番号「２」が附されたピン挿入台９６に新たな挿入ピン９５を２本叩き込むことで封止することができる。このように収納されている主制御基板８２のＲＯＭ検査や修理などの正規の理由による開封・封止が複数回（この実施例では４回）行うことができる上に、その作業性も良い。
【００５６】
次に、このような構造のケース体９１とカバー体９２の封止に用いる挿入ピン９５の未使用のものを基板収納ボックス９０に付属部品として備えさせる構造について説明する。この実施例では、図４に示されるように、封止・開封を計４回行えるように、挿入ピン９５が８つ用いられる。最初の封止に用いる２本の挿入ピン９５以外の残り６本の挿入ピン９５（つまり、２回目以降の封止に使用される挿入ピン９５）は、カバー体９２の片側上面から側面に亘って凹設された凹部１０１が形成され、その凹部１０１の底面１０１ａに固定された保持部材１００によって集約して取り付けられている。
【００５７】
図５及び図６の分解斜視図に示されるように、保持部材１００は合成樹脂材料により形成されており、底面１０１ａに固定されるための固着部１００ａと、挿入ピン９５が挿入される収容孔１００ｅが形成された収容部１００ｂと、それら固着部１００ａと収容部１００ｂを連結する連結部１００ｃとを備えている。固着部１００ａには、底面１０１ａに形成された支持部１０２の突状部１０２ｂが挿入される貫通孔１００ｄが形成されている。収容部１００ｂは、挿入ピン９５の本体部９５ｂが挿通される収容孔１００ｅを有したドーナツ形状に形成されており、その収容孔１００ｅの内径は、挿入される挿入ピン９５のフランジ状頭部９５ａの外径より小さく本体部９５ｂの外径よりもやや大きく形成されている。これら固着部１００ａと収容部１００ｂを連結している連結部１００ｃは、ニッ
パ等の工具によって切断可能に形成されている。
【００５８】
凹部１０１の底面１０１ａには、支持部１０２がカバー体９２と一体的に形成されており、この支持部１０２は、段部１０２ａと突状部１０２ｂとで構成されている。段部１０２ａの高さは、挿入ピン９５のフランジ状の頭部９５ａの厚みとほぼ同じかやや大きめに形成されている。これにより、挿入ピン９５のフランジ状の頭部９５ａを、保持部材１００の収容部１００ｂと底面１０１ａと間に挟んで保持することができるので、収容部１００ｂの構造をその収容部１００ｂだけで挿入ピン９５を保持させるような特別な構造にしなくても保持することができるのでコスト安にもなっている。突状部１０２ｂは、前述の保持部材１００の固着部１００ａに形成された貫通孔１００ｄに挿入される。挿入された突状部１０２ｂの貫通孔１００ｄより突出した先端部１０２ｃは熱又は超音波等によって溶融させて貫通孔１００ｄの内径よりも太径に形成される。この実施例では、図７（ａ）に示すように、ヒーターなどの熱施工装置１０４によって山形状に突状部１０２ｂの先端部１０２ｃが形成されているので、この保持部材１００は離脱不能にカバー体９２の支持部１０２に固着される。この場合、カバー体９２の樹脂材料と保持部材１００の樹脂材料を互いに溶着可能なもの（例えば、同じ樹脂材料）を用いて、より強固に固着されるような構成にしても勿論良い。尚、本発明は、上記実施例に限定されるものではなく、発明の趣旨を逸脱しない範囲で構成の一部を変更して実施することができることは言うまでもない。
【００５９】
例えば、保持部材１００を底面１０１ａに固定する他の方法としては、図７（ｂ）に示すように、ワンウェイネジ１０５等で固定しても良い。ワンウェイネジとは、ネジの頭部が締める方向にしか回すことができないような形状を有しており、緩める方向に回らず、一度締めたら取り外すことができないネジのことをいう。このようにカバー体９２の支持部１０２と保持部材１００を結合して離脱不能に固定することによって、連結部１００ｃを切断しない限り未使用の挿入ピン９５は使用できないので、その紛失等を確実に防止することができる。
【００６０】
さらに、図示しないが未使用の挿入ピン９５を基板収納ボックス９０の内側に備える構成にしても良い。基板収納ボックス９０を開封しない限り取り出すことができなくなるので、未使用の挿入ピン９５の悪用行為をさらに防止することもできる。
【００６１】
次に、このような構成の基板収納ボックス９０の組付け及び挿入ピン９５を操作して、主制御基板８２をボックス内に封止する手順について図１０〜図１３を用いて説明する。
【００６２】
まず、図１０（ａ）に示されるように、ケース体９１のケース側封止部９３に設けられた固定具収容台９９の収容溝９９ａへ、ピン固定具９８を収容固定すると共に、主制御基板８２をケース体９１内にネジ止め固定する。そして、図１０（ｂ）に示されるように、カバー体９２を上方から、被着する。
【００６３】
被着した後、図１１（ａ）及び図１２に示されるように、側方から挿入ピン９５をカバー体９２の番号「１」が附されたピン挿入台９６に挿入する。そして、図１１（ｂ）及び図１３に示されるように、挿入された挿入ピン９５の頭部９５ａをネジ回しドライバー等の工具を用いて、側方から叩き込む等の押圧動作により、先端部９５ｃの係合溝９５ｄがピン固定具９８の係合孔９８ａの内周縁に形成された係合爪９８ｂが嵌り込んで係合する。
【００６４】
このように挿入ピン９５によって、カバー体９２に設けられたピン挿入台９６と、ケース体９１に設けられた固定具収容台９９の収容溝９９ａに係合して収容固定されたピン固定具９８とが、連結されることで、ケース体９１とカバー体９２は離脱不能になり、主制御基板８２はボックス内に封止されることになる。
【００６５】
また、ピン固定具９８は図示されているように、その挿入ピン９５が挿入される側全体が、前台９９ｂに覆われて収容溝９９ａに収容されているので、ピン固定具９８が収容溝９９ａ内で係合している部分である係合凹部９９ｃ等への不正行為によって、その係合を外すことは、その覆っている前台９９ｂや収容溝９９ａ、つまり固定具収容台９９そのものを破壊することが必要になる。そのような破壊は確実にその痕跡を残すことができる上に、その痕跡を消す為の復元も極めて困難であるので、収納されている制御基板への不正行為のために開封が行われた場合には早期に発見されるとともに、不正行為の痕跡を消すこともできないので、このような不正行為者による不正開封の行為を抑制することができる。
【００６６】
このように封止された基盤収納ボックス９０を主制御基板８２のＲＯＭの検査やメンテナス等の正当な理由で開封するには、挿入ピン９５が叩き込まれた左右の番号「１」が附されたピン挿入台９６のカバー体９２と連結している２箇所の連結部９６ａを切断して、カバー体９２と挿入ピン９５が叩き込まれたピン挿入台９６とを分離させる。そしてケース体９１からカバー体９２を外し、開放された主制御基板８２の検査等を行う。
【００６７】
ＲＯＭの検査やメンテナス等が終わった後、再び封止するには、保持部材１００に取付られている６本の未使用の挿入ピン９５のうち２本をその連結部１００ｃをそれぞれニッパ等で切断して取り出す。取り出した新たな挿入ピン９５を今度は番号「２」が附された左右のピン挿入台９６に挿入し、同様にネジ回しドライバー等の工具を用いて、左右側方から叩き込むことで再び主制御基板８２を基板収納ボックス９０内に封止することができる。
【００６８】
このように、使用するときだけ保持部材１００から切断して挿入ピン９５を取り出す構成なので、使用していない挿入ピン９５を紛失するおそれがない。さらに切断による痕跡が残るので挿入ピン９５の悪用（不正な再封止や持ち出し）を未然に防止することもできる。
【００６９】
また、未使用の挿入ピン９５が基板収納ボックスの外側（この実施例ではカバー体９２の一側面）に集約して備えられていれば、その集約箇所を確認するだけで残りの未使用封止部材の数を把握することができて便利である。図４に示すように、挿入ピン９５がカバー体９２の外面からはみ出ないように、凹部１０１に取り付けられているので、例えばメンテナンス等のために遊技機から基板収納ボックスを取り外す際に、作業者の手が引っかかってしまうことが防止されて作業性が良い上に、基板収納ボックス全体としてサイズが大きくなってしまうことを押さえることができる。
【００７０】
以上本発明の実施形態について説明したが、本発明はこうした実施形態に何ら限定されるものではなく、本発明の趣旨を逸脱しない範囲において、種々なる態様で実施できることは勿論である。例えば、未使用挿入ピン９５を実施例では一箇所に集約した構成を示したが、２つに分割してそれぞれ封止に用いられる封止部近くに配置するなどの構成にしても勿論良い。さらに、実施例では最初に用いる挿入ピン９５は保持部材１００には取り付けず、２回目以降に用いられる挿入ピン９５だけを取り付けた構成を示したが、もちろん最初の挿入ピン９５も取り付けた構成にしても良いことは言うまでもない。
【００７１】
また、実施例では封止部材としての挿入ピン９５、封止部としてのケース側封止部９３及びカバー側封止部９４のような構造のものを示したが、こうした実施例には何ら限定されるものではなく、例えば、従来技術として説明した図１４〜図１８の基板収納ボックス２００においても、適用可能なのは勿論である。要は基板収納ボックスのカバーとケースを離脱不能に封止するために別途設けられた封止部材であれば本発明の構成を採用することができるのは言うまでもない。
【００７２】
【発明の効果】
本発明に係る遊技機によれば、遊技機に備えられる基板収納ボックスを痕跡を残さないで開封することを困難に封止して遊技機に対する不正行為を未然に防止する構造において、その封止に用いられる封止部材の予備を簡易な構造で備えることができるので、予備の封止部材を紛失するおそれがなく、さらに使用した痕跡を残すこともできるで封止部材の悪用（不正な再封止や持ち出し）を未然に防止することもできる。
【図面の簡単な説明】
【図１】  本発明の一実施形態に係るパチンコ遊技機の正面図である。
【図２】  図１に示されたパチンコ遊技機の裏面を示した図である。
【図３】  制御基板の接続を示したブロック図である。
【図４】  本発明の一実施形態に係る基板収納ボックスの外観斜視図を示した図である。
【図５】  図４の基板収納ボックスを外側から見た分解斜視図である。
【図６】  図４の基板収納ボックスを内側から見た分解斜視図である。
【図７】  封止部材の保持構造を示した断面図である
【図８】  封止部の縦断面を示した斜視図である。
【図９】  ケース側の封止部の上面図を示した図である。
【図１０】  基板収納ボックスの組付け手順を示した縦断面図である。
【図１１】  基板収納ボックスの封止手順を示した縦断面図である。
【図１２】  基板収納ボックスの封止手順を示した横断面図である。
【図１３】  図１１の基板収納ボックスの次の封止手順を示した横断面図である。
【図１４】  従来一般に知られる基板収納ボックスの外観斜視図を示した図である。
【図１５】  図１５の基板収納ボックスの分解斜視図を示した図である。
【図１６】  図１５の基板収納ボックスの上面図を示した図である。
【図１７】  封止部の縦断面図を示した図である。
【図１８】  封止部の横断面図を示した図である。
【符号の説明】
１０  パチンコ遊技機
８２  制御基板
９０  基板収納ボックス
９１  ケース体
９２  カバー体
９３  ケース側封止部
９４  カバー側封止部
９５  挿入ピン
９６  ピン挿入台
９８  ピン固定具
９８ａ  係合片
９９  固定具収容台
９９ａ  収容溝
９９ｂ  前台
９９ｃ  係合凹部
１００  保持部材
１０１  凹部
１０２  支持部
【図１】
0003824505.tif 000002
【図２】
0003824505.tif 000003
【図３】
0003824505.tif 000004
【図４】
0003824505.tif 000005
【図５】
0003824505.tif 000006
【図６】
0003824505.tif 000007
【図７】
0003824505.tif 000008
【図８】
0003824505.tif 000009
【図９】
0003824505.tif 000010
【図１０】
0003824505.tif 000011
【図１１】
0003824505.tif 000012
【図１２】
0003824505.tif 000013
【図１３】
0003824505.tif 000014
【図１４】
0003824505.tif 000015
【図１５】
0003824505.tif 000016
【図１６】
0003824505.tif 000017
【図１７】
0003824505.tif 000018
【図１８】
0003824505.tif 000019